(57)【要約】【課題】本発明は、液体微粒化装置とそれを用いたサウナ装置に関するもので、エネルギー損失を抑制することを目的とするものである。【解決手段】そして、この目的を達成するために本発明は、給気口８と排気口９を有する本体ケース１０と、この本体ケース１０内の風路に設けた送風手段１２と、この送風手段１２と排気口９間に設けた液体の微粒化手段１３と、この微粒化手段１３と前記排気口９間に設けたエリミネータ１４とを備え、前記エリミネータ１４と前記排気口９間で、エリミネータ１４の下方に多孔質体１５を介在させたものである。【選択図】図２
2009139069.tif 000002
【特許請求の範囲】
【請求項１】
給気口と排気口を有する本体ケースと、この本体ケース内の風路に設けた送風手段と、この送風手段と排気口間に設けた液体の微粒化手段と、この微粒化手段と前記排気口間に設けたエリミネータとを備え、前記エリミネータと前記排気口間で、エリミネータの下方に多孔質体を介在させた液体微粒化装置。
【請求項２】
送風手段と排気口間の風路を、第一の風路と、第二の風路に分岐し、前記第一の風路に、液体の微粒化手段と、エリミネータとを設け、第二の風路に多孔質体を設けた請求項１に記載の液体微粒化装置。
【請求項３】
多孔質体は、回転自在となった円筒形体で構成した請求項１、または２に記載の液体微粒化装置。
【請求項４】
多孔質体は、直方体で構成し、この直方体の下部を、風路の下流側にむけて斜めに配置した請求項１、または２に記載の液体微粒化装置。
【請求項５】
液体の微粒化手段は、その微粒化能力を可変する構成とし、その微粒化能力の弱時、または停止時には、第二の風路を閉鎖する構成とした請求項２から４のいずれか一つに記載の液体微粒化装置。
【請求項６】
本体ケースの給気口と排気口間の風路に、加熱手段を介在させた請求項１から５のいずれか一つに記載の液体微粒化装置。
【請求項７】
サウナ室の開口部に、請求項６に記載の液体微粒化装置を設けたサウナ装置。
【請求項８】
サウナ室の開口部は、サウナ室の天井部に設けた請求項７に記載のサウナ装置。
【発明の詳細な説明】
【技術分野】
【０００１】
本発明は、液体微粒化装置とそれを用いたサウナ装置に関するものである。
【背景技術】
【０００２】
例えば、サウナ装置に用いられる液体微粒化装置の構成は、次のような構成となっていた。
【０００３】
すなわち、給気口と排気口を有する本体ケースと、この本体ケース内の風路に設けた送風手段と、この送風手段と排気口間に設けた微粒化手段とを備え、前記微粒化手段は、ノズルから液体を噴射させる構成となっていた（例えば、特許文献１参照）。
【特許文献１】特開平６−６３１０３号公報
【発明の開示】
【発明が解決しようとする課題】
【０００４】
上記従来例において問題となるのは、エネルギー損失が大きくなっているということであった。
【０００５】
すなわち、従来の液体微粒化装置は、上述のごとく、ノズルから液体を噴射させることにより液体を微粒化しているが、このように、ノズルから液体を噴射させるものでは、微粒化できなかった多くの排液が発生し、しかも例えば、サウナ装置においては、この排液は、加熱手段による加熱を行ったものでもあるので、加熱された液体をみすみす排出してしまうことになり、結論として、エネルギー損失が大きくなってしまうものであった。
【０００６】
そこで、本発明は、エネルギー損失を抑制することを目的とするものである。
【課題を解決するための手段】
【０００７】
そして、この目的を達成するために本発明は、給気口と排気口を有する本体ケースと、この本体ケース内の風路に設けた送風手段と、この送風手段と排気口間に設けた液体の微粒化手段と、この微粒化手段と前記排気口間に設けたエリミネータとを備え、前記エリミネータと前記排気口間で、エリミネータの下方に多孔質体を介在させ、これにより初期の目的を達成するものである。
【発明の効果】
【０００８】
以上のごとく本発明は、給気口と排気口を有する本体ケースと、この本体ケース内の風路に設けた送風手段と、この送風手段と排気口間に設けた液体の微粒化手段と、この微粒化手段と前記排気口間に設けたエリミネータとを備え、前記エリミネータと前記排気口間で、エリミネータの下方に多孔質体を介在させたものであり、エネルギー損失を抑制することができる。
【０００９】
すなわち、本発明においては、微粒化手段で液体を微粒化するが、微粒化できなかった大粒の液滴もエリミネータで捕えた後に、このエリミネータの下方に配置した多孔質体で再度微粒化するので、結論として排液となってしまう液体量が極めて少なくなり、その結果として、エネルギー損失を抑制することができるものとなる。
【００１０】
また、微粒化終了時には、多孔質体で保持している液体は自然に乾燥させることもできるので、排液手段を別途設ける必要のないものとなる。
【発明を実施するための最良の形態】
【００１１】
以下、本発明の実施の形態について、図面を参照しながら説明する。
【００１２】
（実施の形態１）
図１において、１はサウナ室を示し、このサウナ室１の前面壁２には、ドア３が開閉自在に設けられ、また、内部には浴槽４が設けられている。
【００１３】
また、このサウナ室１の天井面５の開口部６には、液体微粒化装置７が取り付けられている。液体微粒化装置７は、図２に示すごとく、給気口８と排気口９を有する本体ケース１０と、この本体ケース１０内の風路に設けた加熱手段１１および送風手段１２と、この送風手段１２と排気口９間に設けた微粒化手段（一例としてノズル）１３とを備えた構成となっている。
【００１４】
この微粒化手段１３と前記排気口９間には、エリミネータ１４を設けており、またこのエリミネータ１４と前記排気口９間で、エリミネータ１４の下方には、多孔質体１５を介在させている。
【００１５】
上記エリミネータ１４、多孔質体１５部分の構造について、さらに具体的に説明すると、送風手段１２と排気口９間の風路は、第一の風路１６と、第二の風路１７に分岐されており、このうち、前記第一の風路１６には、液体の微粒化手段１３と、エリミネータ１４とを下流に向けて順番に設けており、また第二の風路１７の終端側に前記多孔質体１５を設けているのである。
【００１６】
さらに、多孔質体１５は、セラミック、樹脂、発泡状態の金属等を吸水性の円筒形体にすることによって形成されたものであって、第二の風路１７の終端側において回転自在に配置されている。
【００１７】
以上の構成において、サウナ室１内において、サウナを使用する場合、まずは、図示していないガス湯沸かし器や電気温水器から図１に示すパイプ１８を介して、図２における加熱手段１１と微粒化手段（一例としてノズル）１３に温水を供給する。
【００１８】
次に、送風手段１２が駆動され、その状態で微粒化手段（一例としてノズル）１３により温水の微粒化が行われる。
【００１９】
この時、上述のごとく送風手段１２が駆動されているので、給気口８から本体ケース１０内にはサウナ室１内の空気が吸引されており、この空気が加熱手段１１により加熱され、次に第一の風路１６を通過するときに、微粒化手段（一例としてノズル）１３により微粒化された温水を排気口９側へと搬送することとなる。
【００２０】
ただし、この微粒化手段（一例としてノズル）１３により微粒化されなかった大粒のものはエリミネータ１４にて捕獲され、よって微粒化されたものだけが、蒸発しながら排気口９を介してサウナ室１内に供給され、サウナ環境が整えられる。
【００２１】
さてエリミネータ１４にて捕獲された微粒化されなかった大粒の温水は、このエリミネータ１４の下方に配置された多孔質体１５上へ、図３のごとく滴下することになる。
【００２２】
この多孔質体１５は上述のごとくセラミック、樹脂、発泡状態の金属等を吸水性の円筒形体にすることによって形成されたものであって、第二の風路１７の終端側において回転自在に配置されている。
【００２３】
第二の風路１７には、図２のごとく送風手段１２により、加熱空気（加熱手段１１通過による）が供給されており、これによって多孔質体１５で受けたエリミネータ１４からの滴下温水は、蒸発作用により、排気口９を介してサウナ室１内に供給され、サウナ環境が整えられる。
【００２４】
さて多孔質体１５は図３のごとく円筒状態となっているが、上記エリミネータ１４からの滴下温水は、回転軸１９よりも第二の風路１７の上流側に供給される状態となっている。
【００２５】
すなわち、このエリミネータ１４からの滴下温水は、第二の風路１７に供給された加熱空気の風圧により、滴下箇所から、回転軸１９部分を通過する直径方向へと進行させられ、その進行途中に順次蒸発することとなる。つまり、出来るだけ通過距離が長くなることが重要で、そのことからすると、本実施形態の円筒状だけではなく、この多孔質体１５を、直方体で構成し、この直方体の下部を、第二の風路１７の下流側にむけて斜めに配置する構成としても良い。
【００２６】
再び、円筒状の多孔質体１５について説明を続けると、この円筒体への滴下部分が、図３のごとく半時計方向（第二の風路１７の上流側）に向けて回転させられるようになっており、このように円筒体を回転させる理由は、滴下箇所に、乾いた面が順次登場するようにするためである。
【００２７】
またこの回転については、その回転スピードは出来るだけ遅くすることが好ましく、これによってエリミネータ１４からの滴下温水が、第二の風路１７に供給された加熱空気の風圧により、滴下箇所から、回転軸１９部分を通過する直径方向へ、出来るだけ長い通過経路を介して進行し、蒸発しやすくなるからである。
【００２８】
さて、サウナ室１内における湿度が設定値よりも高くなると、微粒化手段（一例としてノズル）１３を停止、または能力を小さくし、また送風手段１２の能力を小さく、さらに図４に示すごとく第二の風路１７をダンパ２０により閉鎖する。
【００２９】
すなわち、送風手段１２の能力を小さくしているが、この状態でも多孔質体１５に少量温風を供給すると、その風圧ででも、この多孔質体１５が含有する温水を押し出して、流出させてしまうことがあるので、これを避けるためである。
【００３０】
つまり、この時には、サウナ室１内における湿度が十分に高くなっているので、その高湿空気を多孔質体１５に供給しても、この多孔質体１５からの温水蒸発が期待できず、かえって上記温水流出を誘発させることになるので、この時には多孔質体１５への温風供給をダンパ２０により遮断するのである。
【００３１】
また本実施形態の特徴として、多孔質体１５を設けた結果、排気口９を介してサウナ室１内に非蒸気液体が滴下することが無いので、この非蒸気液体滴下抑制のための排水設備を、わざわざ本体ケース１０内からサウナ室１に別途設ける必要はない。
【産業上の利用可能性】
【００３２】
以上のごとく本発明は、給気口と排気口を有する本体ケースと、この本体ケース内の風路に設けた送風手段と、この送風手段と排気口間に設けた液体の微粒化手段と、この微粒化手段と前記排気口間に設けたエリミネータとを備え、前記エリミネータと前記排気口間で、エリミネータの下方に多孔質体を介在させたものであり、エネルギー損失を抑制することができる。
【００３３】
すなわち、本発明においては、微粒化手段で液体を微粒化するが、微粒化できなかった大粒の液滴もエリミネータで捕えた後に、このエリミネータの下方に配置した多孔質体で再度微粒化するので、結論として排液となってしまう液体量が極めて少なくなり、その結果として、エネルギー損失を抑制することができるものとなる。
【００３４】
また、微粒化終了時には、多孔質体で保持している液体は自然に乾燥させることもできるので、排液手段を別途設ける必要のないものとなる。
【００３５】
したがって、例えば、サウナ装置やその他植物育成設備への活用が期待される。
【図面の簡単な説明】
【００３６】
【図１】本発明の実施の形態１における液体微粒化装置を用いたサウナ装置の斜視図
【図２】同液体微粒化装置の断面図
【図３】同液体微粒化装置の動作説明をおこなう拡大断面図
【図４】同液体微粒化装置の動作説明をおこなう断面図
【符号の説明】
【００３７】
１    サウナ室
２    前面壁
３    ドア
４    浴槽
５    天井面
６    開口部
７    液体微粒化装置
８    給気口
９    排気口
１０  本体ケース
１１  加熱手段
１２  送風手段
１３  微粒化手段（一例としてノズル）
１４  エリミネータ
１５  多孔質体
１６  第一の風路
１７  第二の風路
１８  パイプ
１９  回転軸
２０  ダンパ
【図１】
2009139069.tif 000003
【図２】
2009139069.tif 000004
【図３】
2009139069.tif 000005
【図４】
2009139069.tif 000006